(57)【要約】  強膜内固定バッグ（１０）は、そこから延びるハプティック（１２）を含む。ハプティック（１２）は、眼球内に形成された強膜切開部内に挿入され固着される。ハプティック（１２）は、強膜内固定バッグ（１０）を、天然水晶体嚢の支持の必要無しに固着させる。強膜内固定バッグ（１０）のハプティック（１２）は、細長いループ要素（１４）と、細長いループ要素（１４）の遠位端から延びる遠位フック部分（２０）とを含む。遠位フック部分（２０）は、強膜内固定バッグ（１０）の中央前後軸（１８）に向かって傾けられた前縁（２２）を有する。【選択図】図１
2016521632.tif 000002
【特許請求の範囲】
【請求項１】
そこから延びるハプティック（１２）を備える強膜内固定バッグ（１０）であって、前記ハプティック（１２）の各々が、近位端が前記強膜内固定バッグ（１０）に取り付けられた細長いループ要素（１４）を備え、前記細長いループ要素（１４）は、長さ、幅、および厚さを有し、前記長さは、湾曲した経路を辿り、前記幅は、前記強膜内固定バッグ（１０）の中央前後軸（１８）に対してほぼ平行である、強膜内固定バッグ（１０）と、
前記細長いループ要素（１４）の遠位端から延びる遠位フック部分（２０）であって、前記強膜内固定バッグ（１０）の前記中央前後軸（１８）に向かって傾けられた前縁（２２）を備える、遠位フック部分（２０）と、を備える、眼内装置。
【請求項２】
前記遠位フック部分（２０）が、前記強膜内固定バッグ（１０）の前記中央前後軸（１８）から離れるように傾けられた後縁（２８）を備える、請求項１に記載の眼内装置。
【請求項３】
前記遠位フック部分（２０）が、その遠位先端部において丸められ、前記遠位フック部分（２０）が前記細長いループ要素（１４）から延びるところから細くなるように先細になる、請求項１に記載の眼内装置。
【請求項４】
前記遠位フック部分（２０）が平坦である、請求項１に記載の眼内装置。
【請求項５】
前記細長いループ要素（１４）の前記厚さが、前記幅より小さい、請求項１に記載の眼内装置。
【請求項６】
前記遠位フック部分（２０）が、中央貫通穴（２６）を備えて形成される、請求項１に記載の眼内装置。
【請求項７】
前記遠位フック部分（２０）および前記細長いループ要素（１４）が、異なる剛性を有する、請求項１に記載の眼内装置。
【請求項８】
前記遠位フック部分（２０）の最前部の表面が、前記眼内装置の最前部の表面の後方にない、請求項１に記載の眼内装置。
【請求項９】
前記強膜内固定バッグ（１０）が、異なる眼内装置を中に受け入れるための溝（３０）を備える、請求項１に記載の眼内装置。
【請求項１０】
後方プラットフォーム（３２）が、前記強膜内固定バッグ（１０）に取り付けられる、請求項１に記載の眼内装置。
【請求項１１】
前記後方プラットフォーム（３２）が、環状溝（３４）を備えて形成される、請求項１０に記載の眼内装置。
【請求項１２】
前記後部プラットフォーム（３２）が、屈折力を有する、請求項１０に記載の眼内装置。
【発明の詳細な説明】
【技術分野】
【０００１】
本発明は、一般に、眼内装置に関し、詳細には、とりわけ、無傷の水晶体嚢が存在しないときに眼内レンズ（ＩＯＬ）を中に装着するために使用され得る強膜内固定バッグに関する。
【背景技術】
【０００２】
一般的な白内障手術では、天然レンズは、水晶体超音波乳化吸引によって眼球から取り除かれる。レンズ材料は、細かくされ、眼球から吸引されるが、水晶体嚢は、ほぼ無傷のままに残される。残った水晶体嚢は、見込まれる視力調節のためにチン小帯および毛様体筋によって作用され得るＩＯＬを収容し支持するので、非常に重要である。
【０００３】
しかし、水晶体嚢は、ＩＯＬに対して十分な支持を常に提供しているわけではない。深刻なチン小帯裂開またはレンズ亜脱臼を有する眼球に対して白内障手術を実施するとき、外科医は、適切な水晶体嚢の支持無しに眼内レンズ（ＩＯＬ）を定着させる手術技法を採用する必要がある。いくつかの方法が、不十分な水晶体嚢支持の問題に対処するために外科医によって採用されている。１つの方法は、オープンループ前眼房ＩＯＬの移植である。別の方法は、後眼房ＩＯＬの虹彩縫合固定または強膜縫合固定を伴う。さらに別の方法は、水晶体嚢拡張リングとＩＯＬとの強膜内固定を伴う。
【０００４】
しかし、これらの方法のすべては、水晶体嚢が無傷のままであるときに適用可能である。水晶体嚢が存在しない状況がある。たとえば、ＩＯＬを別のＩＯＬに取り換えるために、レンズ交換が必要とされる。最初のＩＯＬを取り除くことは、取り換え用ＩＯＬを保持するための水晶体嚢がわずかしかまたは全く存在しない程度まで水晶体嚢に深刻な損傷を与え得る。
【発明の概要】
【発明が解決しようとする課題】
【０００５】
本発明は、水晶体嚢が存在しない場合でもＩＯＬまたは他の眼内装置を装着するための改良された方法および装置を提供しようとするものである。本明細書の以下でさらに詳細に説明されるように、本発明は、天然嚢が存在しない場合でも眼内装置用の装着プラットフォームの役割を果たす強膜内固定バッグを提供する。
【課題を解決するための手段】
【０００６】
したがって、本発明の実施形態による方法であって、強膜内固定バッグを眼球内に導入するステップであって、強膜内固定バッグがそこから延びるハプティックを含む、ステップと、ハプティックを眼球内に形成された強膜切開部内に挿入し固着させるステップとを含み、ハプティックは、水晶体嚢支持の必要無しに強膜内固定バッグを固着させる、方法が提供される。方法は、水晶体嚢が存在しない場合でも有用である。方法は、さらに、眼内装置を強膜内固定バッグ内に形成された溝内に装着するステップを含むことができる。
【０００７】
本発明の非限定的な特徴は、とりわけ以下を含む。すなわち、
強膜内固定バッグは、そこから延びるハプティックを含み、ハプティックの各々は、近位端が強膜内固定バッグに取り付けられた細長いループ要素を含み、細長いループ要素は、長さ、幅、および厚さを有し、長さは、湾曲した経路を辿り、幅は、強膜内固定バッグの中央前後軸に対してほぼ平行である。遠位フック部分が、細長いループ要素の遠位端から延び、遠位フック部分は、強膜内固定バッグの中央前後軸に向かって傾けられた前縁を含む。
【０００８】
遠位フック部分は、強膜内固定バッグの中央前後軸から離れるように傾けられた後縁を含む。
遠位フック部分は、その遠位先端部において丸められ、これが細長いループ要素から延びるところから細くなるように先細になる。
【０００９】
遠位フック部分は、細長いループ要素より細い。
細長いループ要素の厚さは、幅より小さい。
遠位フック部分は、貫通穴を備えて形成される。
【００１０】
細長いループ要素の近位端は、強膜内固定バッグの外側周囲のほぼ接線方向である。
遠位フック部分および細長いループ要素は、異なる剛性を有する。
細長いループ要素および強膜内固定バッグは、異なる剛性を有する。
【００１１】
遠位フック部分の最前部の表面は、眼内装置の最前部の表面の後方にない。
細長いループ要素の最前部の表面は、強膜内固定バッグの最前部の表面の後方にない。
強膜内固定バッグは、ＩＯＬを中に受け入れるための溝を含む。
【００１２】
本発明は、付属の図を併用して以下の詳細な説明からより完全に理解され認識されるであろう。
【図面の簡単な説明】
【００１３】
【図１】本発明の実施形態によって構築され動作する、ハプティックを備えた強膜内固定バッグの簡易化された絵図である。
【図２】本発明の実施形態による、前後軸に対して横断方向に見た、眼球内に移植された図１の強膜内固定バッグの簡易化された図であり、ハプティックは、湾曲された強膜切開部内に固定される。
【図３】強膜内固定バッグの一部分の簡易化された側面図である。
【図４】本発明の実施形態による、強膜内固定膜内に装着された眼内装置（ＩＭＴ）の簡易化された側面図である。
【図５】本発明の別の実施形態によって構築され動作する、ハプティックを備えた強膜内固定バッグの簡易化された絵図である。
【図６】図６は、本発明の別の実施形態による、後眼房内、たとえば毛様体筋内に装着された別のＩＯＬと共働する、強膜内固定バッグ内に装着されたＩＯＬの簡易化された絵図である。
【００１４】
図６Ａは、強膜内固定バッグに取り付けられた後部プラットフォームを示す、固定バッグの一部分の拡大図である。
【発明を実施するための形態】
【００１５】
次に、本発明の実施形態によって構築され動作する、ハプティック１２を備えた強膜内固定バッグ１０を示す図１〜３を参照する。強膜内固定バッグ１０は、リングとして示されるが、他の形状を有することもできる。
【００１６】
各々のハプティック１２は、近位端１６が強膜内固定バッグ１０に取り付けられた細長いループ要素１４を含む。細長いループ要素１４は、長さ、幅、および厚さを有し、その長さは湾曲した経路を辿り、その幅は、強膜内固定バッグ１０の中央前後軸１８に対してほぼ平行である。ハプティック１２を備えた強膜内固定バッグ１０の外径は、限定的ではないが、強膜内の適切な装着のために１５ｍｍである。
【００１７】
遠位フック部分２０が、細長いループ要素１４の遠位端から延びる。遠位フック部分２０は、強膜内固定バッグ１０の中央前後軸１８に向かって傾けられた前縁２２を含む。必ずしも必要と限らないが好ましくは、遠位フック部分２４の後縁２８は、中央前後軸２２から離れるように傾けられる。必ずしも必要と限らないが好ましくは、遠位フック部分２４は平坦である。遠位フック部分２４の形状は、強膜内のその挿入場所の形状に合致することができる。遠位フック部分２４は、その遠位端において丸められ、これが細長いループ要素１８から延びるところから細くなるように先細になる。遠位フック部分２４は、把持する、またはダイヤルする、または他の調整のために貫通穴２６を備えて形成され得る。貫通穴２６は、好ましくは、中央にあり、一方の側に偏らない。１つの実施形態では、遠位フック部分２０は、細長いループ要素１４より細くされる。１つの実施形態では、細長いループ要素１４の厚さは、その幅より小さく、他の実施形態では、これらは等しい。遠位フック部分は、異なる外科手術において縫合糸（図示せず）に連結され得る。
【００１８】
細長いループ要素１４の近位端は、強膜内固定バッグ１０の外側周囲のほぼ接線方向である。
強膜内固定バッグ１０およびハプティック１２は、同じまたは異なる材料から作製されてよく、各々は、１つまたは複数の材料から作製されてよい。使用される材料は、生体適合性かつ光学的に透明なものであり、親水性または疎水性になることができる。材料は、限定的ではないが、メタクリレート（たとえば、ポリメチルメタクリレート）、オレフィン（たとえばポリプロピレン）およびシリコーンなどの剛性または可撓性、硬質または軟質のものでよい。たとえば、限定的ではないが、強膜内固定バッグ１０は、シリコーンで作製されてよく、一方でハプティック１２は、ＰＭＭＡで作製されてよい。
【００１９】
遠位フック部分２０および細長いループ要素１４は、異なる剛性を有することができる。同様に、細長いループ要素１４および強膜内固定バッグ１０も、異なる剛性を有することができる。固定バッグ１０は、外科手術中の容易な挿入のために可撓性の折り畳み材料で作製され得る。
【００２０】
遠位フック部分２０の最前部の表面は、強膜内固定バッグ１０の最前部の表面の後方にない（すなわちこれは、それと同一平面である、またはこれより前にある）ことに留意されたい。同様に、細長いループ要素１４の最前部の表面もまた、強膜内固定バッグ１０の最前部の表面の後方にない。
【００２１】
強膜内固定バッグ１０は、開放された中央開口２７を含む（図２）。
本発明の実施形態によれば、強膜内固定バッグ１０は、図示されていないが眼内レンズ（ＩＯＬ）または移植可能な望遠鏡などの眼内装置を中に受け入れるための溝３０を含む。溝３０は、強膜内固定バッグ１０の内側周囲周りを完全に延びることができ、または強膜内固定バッグ１０の内側周囲の１つまたは複数の別個の角度区分上を延びることができる。
【００２２】
強膜内固定バッグ１０は、たとえば縁内の切開部を通って導入され得る。ハプティック１２は、湾曲した強膜切開部２５内に固定され、固定バッグ１０を適切に中心に置く。（それだけに限定されないが、単焦点ＩＯＬ、多焦点ＩＯＬ、視力調節式ＩＯＬおよび他のものなどの）ＩＯＬまたは（図４に見られる、移植可能な小型望遠鏡（ＩＭＴ）５０などの）他の眼内装置が、溝３０内に容易に装着され得る。固定バッグ１０は、いかなる水晶体嚢が存在しない場合でもハプティック１２によって強膜切開部２５内に適正に保持される。
【００２３】
次に、本発明の別の実施形態によって構築され動作する、ハプティック６２を備えた強膜内固定バッグ６０を示す図５を参照する。本発明の他の実施形態と同様に、各々のハプティック６２は、近位端６６が強膜内固定バッグ６０に取り付けられた細長いループ要素６４と、強膜内固定バッグ６０の中央前後軸６７に向かって傾けられた前縁を有する遠位フック部分６８とを含む。この実施形態では、細長いループ要素６４は、細長いワイヤであり、遠位フック部分６８は、細長いワイヤの端部から曲げられたまたは別の形で形成された丸められたひも穴である。
【００２４】
本発明の強膜内固定バッグは、ＩＯＬを中に装着するための比較的安定したプラットフォームを提供する上で有用になることができ、このＩＯＬは、虹彩の後方かつ強膜内固定バッグの前方、たとえば毛様体筋、毛様体突起、または毛様体溝内などに装着された別のＩＯＬと併用して使用され得る。これは、従来のレンズより優れた視力調節力を備えた二重レンズを作り出す。これは、２つのレンズの後方のもの、すなわち強膜内固定バッグ内に装着されたレンズが、２つのレンズのうち前方のものよりもさらに一層静的に保持され、したがって、前方レンズは、従来技術の二重ＩＯＬよりさらに一層後方レンズに対して移動するためであり、従来技術の二重ＩＯＬは、いずれも水晶体嚢内に保持され、両方のレンズが移動するために相対移動はかなり小さい。そのような実施形態が、図６に示され、図６では、ＩＯＬ７０が、強膜内固定バッグ１０内に装着され、別のＩＯＬ７２は、虹彩の後方かつ強膜内固定バッグ１０の前方の後眼房内、たとえば毛様体筋、またはさらには毛様体溝内（破線によって示される）などに装着される。
【００２５】
図６はまた、別の選択肢、すなわち強膜内固定バッグ１０に取り付けられた後方プラットフォーム３２も示す。プラットフォーム３２は、バッグ１０の開放された中央開口２７を閉じるために使用され得る。これは、固定バッグ１０からの硝子体液の移動を防止するのに役立ち得る。プラットフォーム３２は、環状溝３４（図６Ａの拡大図に見られる）を備えて形成されてよく、それにより、開口２７を覆うプラットフォーム３２の部分は、特定の用途に望まれる場合、中断されてよい。プラットフォーム３２は、屈折力（正または負）を有することができる。プラットフォーム３２および強膜内固定バッグ１０は、同じまたは異なる材料から作製され得る。プラットフォーム３２はまた、図６の二重レンズ構成でも有用になることができ、この構成では、プラットフォームは、レンズを固定バッグ内に安定的に保つことに役立つ。
【図１】
2016521632.tif 000003
【図２】
2016521632.tif 000004
【図３】
2016521632.tif 000005
【図４】
2016521632.tif 000006
【図５】
2016521632.tif 000007
【図６】
2016521632.tif 000008
【図６Ａ】
2016521632.tif 000009
【国際調査報告】
2016521632.tif 000010
2016521632.tif 000011